(57)【要約】【課題】データ写し込み装置とフィルム給送検知装置を備えるカメラの部品点数を削減し、かつカメラボディへの組み付け工数を低減して低コスト化を図るとともに、カメラの小型化を図る。【解決手段】フィルムに撮影データを写し込むデータ写し込み装置ＤＤと、フィルムの巻き上げ、巻き戻し等のフィルム給送を検知するフィルム給送検知装置ＦＤとを備えるカメラにおいて、データ写し込み装置ＤＤとフィルム給送検知装置ＦＤとが互いに近接した位置に配設される。データ写し込み装置ＤＤとフィルム給送検知装置ＦＤとを装置ユニット１００として一体化することが可能になり、カメラボディ１内に配設するための部品を両装置で兼用することができ、部品点数を削減し、かつ組み付け工数を低減して低コスト化が可能になる。各装置に生じるスペースを互いに埋め合うように装置ユニットを設計することで、カメラの小型化を図ることができる。【選択図】  図１
2004191531.tif 000002
【特許請求の範囲】
【請求項１】
フィルムに撮影データを写し込むデータ写し込み装置と、前記フィルムの巻き上げ、巻き戻し等のフィルム給送を検知するフィルム給送検知装置とを備えるカメラにおいて、前記データ写し込み装置とフィルム給送検知装置とが互いに近接した位置に配設されていることを特徴とするカメラ。
【請求項２】
前記データ写し込み装置はフィルムの撮影駒枠が移動する領域内の一部に配設され、前記フィルム給送検知装置は前記フィルムのパーフォレーションが移動する領域内の前記データ写し込み装置に近接した位置に配置されていることを特徴とする請求項１に記載のカメラ。
【請求項３】
カメラボディに撮影駒枠を画成するためのアパーチャが設けられ、前記アパーチャを挟んでフィルムの給送方向に沿って互いに対をなす内レールと外レールとが配設されているカメラであって、前記データ写し込み装置は前記アパーチャとフィルムの給送方向に隣接する位置に配設され、前記フィルム給送検知装置は前記内レールと外レールとの間の前記データ写し込み装置に最も近接された位置に配設されていることを特徴とする請求項２に記載のカメラ。
【請求項４】
前記データ写し込み装置と前記フィルム給送検知装置とが装置ユニットとして一体化され、当該装置ユニットがカメラ内に配設されていることを特徴とする請求項１ないし３のいずれかに記載のカメラ。
【請求項５】
前記データ写し込み装置と前記フィルム給送検知装置とが一つのホルダに組み立てられ、当該ホルダが前記カメラに設けられた凹部内に内装されて組み付けが行われることを特徴とする請求項４に記載のカメラ。
【請求項６】
前記凹部は前記アパーチャと、フィルムを巻き上げるスプール室との境界領域のカメラボディに形成されていることを特徴とする請求項５に記載のカメラ。
【請求項７】
前記データ写し込み装置は、レンズと、絞りと、ＬＥＤを搭載したＬＥＤ基板とを備え、前記フィルム給送検知装置は発光素子と受光素子とで構成されるフォトリフレクタを搭載したフォトリフレクタ基板を備え、前記レンズ、絞り、ＬＥＤ基板、及びフォトリフレクタ基板を一つのホルダに組み立てて前記装置ユニットを構成していることを特徴とする請求項５又は６に記載のカメラ。
【請求項８】
前記ＬＥＤ基板の一部と、前記フォトリフレクタ基板の一部はそれぞれ前記凹部外に導出されて電気接続が行われていることを特徴とする請求項７に記載のカメラ。
【請求項９】
前記装置ユニットを内装した凹部の開口を覆う遮光蓋を備えることを特徴とする請求項５ないし８のいずれかに記載のカメラ。
【発明の詳細な説明】
【０００１】
【発明の属する技術分野】
本発明は日時や露出値等の撮影データをフィルムに写し込み可能なカメラに関し、特にフィルムの給送を検知するためのフィル給送検知装置を併せて備えるカメラに関するものである。
【０００２】
【従来の技術】
撮影時の日時や、絞り値、シャッター速度等の撮影データを撮影画像と共に写し込むようにしたデータ写し込み機能を有するカメラが提案されている。また一方で、フィルムの自動巻き上げや巻き戻しを行うためにフィルムの給送状態を検知するためのフィルム給送検知装置を備えるカメラも提案されている。例えば、特許文献１には、前者のデータ写し込み装置を備えたカメラが開示されている。このデータ写し込み装置は、データを写し込むための照明光を照射する発光素子と、この発光素子からの照明光をフィルム面に結像させる光学系とで構成されており、このデータ写し込み装置をアパーチャとスプール室との間に形成される三角形状の空間内に配設した構成とされている。一方、後者のフィルム給送検知装置は改めて特許文献を引用するまでもなく既に多くのカメラに配設されており、特に３５ミリロールフィルムのようにパーフォレーションを有するフィルムの場合には、当該パーフォレーションをフォトリフレクタにより光学的に検出し、このフォトリフレクタの出力に基づいてフィルム給送に伴うパーフォレーションの数をカウントすることでフィルムの給送量を検出するようになっている。
【０００３】
【特許文献１】特開平５−８８２４６号公報
【０００４】
【発明が解決しようとする課題】
このようなデータ写し込み装置とフィルム給送検知装置の両方を備えるカメラは、特に特許文献には見いだすことはできないが、既に市場において提供されてたものがある。しかしながら、提供されているカメラでは、データ写し込み装置とフィルム給送検知装置とはそれぞれが独立した装置として構成されており、それぞれが個別にカメラボディに組み込まれた構成となっている。そのため、カメラの部品点数が多く、かつその組み立て工数も多くなり、結果としてカメラの低コスト化を進める上での障害になっている。これは、データ写し込み装置はフィルムの撮影駒枠内にデータを写し込むことができるようにカメラボディの当該撮影駒枠に対向する位置に配設しているが、フィルム給送検知装置はフィルムのパーフォレーションに対向する位置に配設する必要があり、両者の配設位置がカメラボディの離れた位置に設計されていることが理由の一つである。また、このようにデータ写し込み装置とフィルム給送検知装置を離して配置することで、これら装置がカメラボディに占める面積が大きくなり、カメラの小型化の障害にもなっている。
【０００５】
本発明の目的は、データ写し込み装置とフィルム給送検知装置を備えるカメラにおいて、これら装置を構成する部品点数を削減し、かつカメラボディへの組み付け工数を低減して低コスト化を図るとともに、カメラの小型化を図ることを可能にしたカメラを提供するものである。
【０００６】
【課題を解決するための手段】
本発明は、フィルムに撮影データを写し込むデータ写し込み装置と、前記フィルムの巻き上げ、巻き戻し等のフィルム給送を検知するフィルム給送検知装置とを備えるカメラにおいて、前記データ写し込み装置とフィルム給送検知装置とが互いに近接した位置に配設されていることを特徴とする。例えば、データ写し込み装置はフィルムの撮影駒枠が移動する領域内の一部に配設され、フィルム給送検知装置はフィルムのパーフォレーションが移動する領域内のデータ写し込み装置に近接した位置に配置される。具体的には、カメラボディに撮影駒枠を画成するためのアパーチャが設けられ、当該アパーチャを挟んでフィルムの給送方向に沿って互いに対をなす内レールと外レールとが配設されているカメラにおいて、データ写し込み装置はアパーチャとフィルムの給送方向に隣接する位置に配設され、フィルム給送検知装置は内レールと外レールとの間のデータ写し込み装置に最も近接された位置に配設される。
【０００７】
また、本発明においては、データ写し込み装置とフィルム給送検知装置とが装置ユニットとして一体化され、当該装置ユニットがカメラ内に配設されていることを特徴とする。例えば、データ写し込み装置とフィルム給送検知装置とが一つのホルダに組み立てられ、当該ホルダがカメラに設けられた凹部内に内装されて組み付けが行われる構成とする。この凹部は前記アパーチャと、フィルムを巻き上げるスプール室との境界領域のカメラボディに形成されることが好ましい。具体的には、データ写し込み装置は、レンズと、絞りと、ＬＥＤを搭載したＬＥＤ基板とを備え、フィルム給送検知装置は発光素子と受光素子とで構成されるフォトリフレクタを搭載したフォトリフレクタ基板を備え、これらレンズ、絞り、ＬＥＤ基板、及びフォトリフレクタ基板を一つのホルダに組み立てて装置ユニットを構成する。
【０００８】
本発明によれば、データ写し込み装置とフィルム給送検知装置とがカメラ内の近接した位置に配設されることで、データ写し込み装置とフィルム給送検知装置とを装置ユニットとして一体化することが可能になる。そのため、データ写し込み装置とフィルム給送検知装置をカメラに配設するための部品を両装置で兼用することができ、部品点数を削減する。また、両装置を装置ユニットとしてサブアッセンブリした上で、この装置ユニットをカメラに配設するだけで両装置を同時にカメラに組み付けることができ、組み付け工数を削減する。これによりカメラの低コスト化が可能になる。さらに、装置ユニットをカメラに設けた凹部内に内装する構成であるため、各装置に生じるスペースを互いに埋め合うように装置ユニットを設計することが可能であり、両装置のトータルのスペースを低減し、カメラの小型化を図る。
【０００９】
【発明の実施の形態】
次に、本発明の実施形態を図面を参照して説明する。図１は本発明をパーフォレーションのあるロールフィルム、すなわち３５ミリフィルムを用いるレンズシャッターカメラに適用した実施形態を示しており、裏蓋の一部を破断した背面図である。また、図２及び図３はそれぞれ図１のＡＡ線、ＢＢ線に沿う拡大断面図である。カメラボディ１は前面に図には現れない撮影レンズが配設され、上部領域には上カバー２が装着されてファインダ部３が配設されている。また、この上カバー２にはレリーズボタン４を始めとして図には現れないＬＣＤ（液晶）表示部、その他の各種スイッチ等が配設されている。前記カメラボディ１の背面には、左右の両端部にパトローネ室１１とスプール室１２が設けられており、このパトローネ室１１とスプール室１２の間にはフィルムに対して露光を行う際の撮影駒膜を決定するアパーチャ１３が配設されるとともに、このアパーチャ１３の上下縁に沿って左右方向に延びる一対の内レール１４が配設され、さらに、これら内レール１４を上下に挟む位置には３５ミリフィルムの幅寸法よりも若干大きい上下間隔を有して内レール１４と平行に延びる一対の外レール１５が形成されている。また、カメラボディ１の左右方向の一側部にはカメラボディ１の背面に対して開閉可能な裏蓋５が図外のヒンジにより連結されている。この裏蓋５の内面には前記外レール１５に当接してフィルムが給送されるためのトンネルを画成するための圧板５１がバネ５２によってカメラボディ１に向けて付勢された状態に設けられている。
【００１０】
この構成においては、前記パトローネ室１１に装填されるパトローネＰから引き出された３５ミリフィルムＦは外レール１５と圧板５１とで画成されるトンネルを挿通され、かつ内レール１４と圧板５１との間でフィルムＦは厚さ方向の位置が規制されながら給送される。そして、アパーチャ１３に対向する位置で撮影レンズによって結像された被写体像の露光が行われ、さらにスプール室１２に内装されているスプール１６に巻き上げられるようになっている。前記スプール１６及び前記パトローネＰは、図には現れないフィルム駆動機構によって前記スプール１６に対するフィルムの巻き上げ、及びパトローネＰへのフィルムの巻き戻しが行われることは言うまでもない。
【００１１】
このようにして給送及び露光が行われるフィルムに対してデータを写し込むためのフィルム写し込み装置とフィルム給送検知装置は、この実施形態では前記アパーチャ１３とスプール室１２との間のスペースに配設される。図２及び図３に示したように、アパーチャ１３とスプール室１２との間のカメラボディ１の上面には、高さ方向の中間位置近傍までの深さを有するほぼ矩形をした凹部１７が開設されており、この凹部１７内にデータ写し込み装置ＤＤとフィルム給送検知装置ＦＤを一体的に組み立てた装置ユニット１００が内装されている。また、前記カメラボディ１の背面には、前記凹部１７の内部をカメラボディ１の背面側に連通させるように、アパーチャ１３に隣接する位置には円形をしたデータ写し込み窓１８が開口され、またその上側の外レール１５と内レール１４との間には矩形をしたフィルム給送検知窓１９が開口されており、これらの窓１８，１９を通して前記データ写し込み装置ＤＤとフィルム給送検知装置ＦＤがカメラボディ１の背面に露呈されるように構成される。
【００１２】
図４は前記装置ユニット１００をカメラ背面側から見た部分分解斜視図、図５は反対側から見た部分分解斜視図である。これらの図に示すように、装置ユニット１００は樹脂成形されたホルダ１１０を主体に構成されており、このホルダ１１０に写し込みレンズ１２０、絞り１３０、ＬＥＤ（発光ダイオード）１４１を搭載したＬＥＤ基板１４０、フォトリフレクタを搭載したフォトリフレクタ基板１５０、及び基板押え板１６０が組み付けられている。
【００１３】
前記ホルダ１１０は、若干上下に長い矩形体として構成されており、その下部領域がデータ写し込み部１１１として構成されている。このデータ写し込み部１１１は前後方向に延びる筐体構造に形成されており、その前端面には前記カメラボディ１に設けたデータ写し込み窓１８に対応する円形のレンズ窓１１３が形成され、このレンズ窓１１３から後方領域の左右壁にはレンズ取着溝１１４が、また上壁内面にはレンズガイド溝１１５が形成される。そして、樹脂成形されたレンズ１２０は、レンズ体１２１の上部にガイド片１２２が、左右に取着片１２３がそれぞれ外径方向に突出した状態で一体形成されており、前記ガイド片１２２が前記レンズガイド溝１１５に挿通され、左右の取着片１２３がそれぞれレンズ取着溝１１４に挿通されながらデータ写し込み部１１１の前端位置の前記レンズ窓１１３に臨む位置にまで挿入される。さらに、その背後から金属板を加工した絞り１３０が前記レンズ取着溝１１４内に挿入される。前記絞り１３０は円形板１３１の中心位置に絞り穴１３２が開口されており、当該円形板１３１の左右両側に直角に曲げ形成された一対の係合片１３３に設けられた係合穴１３４が前記ホルダ１１０の前端面の両側に設けられたフック１１６に係合され、この係合によって前記レンズ１２０をホルダ１１０の前端面との間に挟持する。
【００１４】
さらに、前記絞り１３０の背後位置にＬＥＤ１４１が位置されるように前記ホルダ１１０の背面にＬＥＤ基板１４０が当接され、基板押え板１６０によってホルダ１１０に固定される。ＬＥＤ基板１４０は例えばフレシキブル配線基板１４２で形成されており、ＬＥＤ１４１が当該フレキシブル配線基板１４２の回路パターンに半田付け等によって電気的、機械的に接続されている。前記ＬＥＤ１４１は、ここでは上下方向に直線配置された７個のＬＥＤ素子１４３を備えており、これらのＬＥＤ素子１４３が前記絞り１３０を通して前記レンズ１２０に対向配置される。また、前記基板押え板１６０はバネ性のある金属板で形成されており、その一側辺に沿って固定片１６１が直角に曲げ形成され、この固定片１６１に設けられたガイド穴１６２及びガイド切欠き１６３が前記ホルダ１１０の一側面に設けられた一対のボス１１７ａ，１１７ｂにそれぞれ嵌合され、また前記固定片１６１に設けられたネジ穴１６４に挿通されて前記ホルダ１１０の当該一側面のネジ穴１１７ｃに螺合されるネジ１６５によって固定される。そして、固定されたときには下辺部において自身のバネ性によって前記ＬＥＤ基板１４０を背後からホルダ１１０の背面に弾圧し、ＬＥＤ基板１４０をホルダ１１０との間に挟持している。なお、前記ＬＥＤ基板１４０の上端側領域１４４は適宜に曲げ形成されており、装置ユニット１００をカメラボディ１に取着したときに、図には現れないコネクタや他の回路基板に接続されるようになっている。
【００１５】
一方、前記ホルダ１１０の上部領域はフィルム給送検知部１１２として構成されている。このフィルム給送検知部１１２では、前記ホルダ１１０の前面１１８が前記レンズ窓１１３よりも若干後退された垂直状の支持面として形成されており、この支持面１１８に沿って前記フォトリフレクタ基板１５０が配設されている。前記フォトリフレクタ基板１５０は、例えばフレシキブル配線基板１５２で形成されており、フォトリフレクタ１５１が当該フレキシブル配線基板１５２の回路パターンに半田付け等によって電気的、機械的に接続されている。前記フォトリフレクタ１５１はＬＥＤ等の発光素子１５３と、フォトダイオード等の受光素子１５４が上下に並列配置されており、発光素子１５３で発光した光がフィルム面で反射された光を受光素子１５４で受光することが可能とされるものである。前記フォトリフレクタ基板１５０は前記ホルダ１１０の支持面１１８から上方に向けてＬ字型に曲げ形成されており、水平方向に曲げられた先端部１５６の一部に設けられたガイド穴１５５がホルダ１１０の上面に設けられたボス１１９に嵌合される。この嵌合された状態では、前記フォトリフレクタ１５１の前面は前記ホルダ１１０のレンズ窓１１３とほぼ同じ立面位置に配置される。また、前記先端部１５６には外部回路との接続用のランド１５７が配設されている。
【００１６】
このようにホルダ１１０に対してレンズ１２０、絞り１３０、ＬＥＤ基板１４０、フォトリフレクタ基板１５０、基板押え板１６０が組み付けられると、図６に示すように、データ写し込み装置ＤＤとフィルム給送検知装置ＦＤがホルダ１００によって一体化された装置ユニット１００が形成される。そして、この装置ユニット１００は、図７に示すように、カメラボディ１の上面に開口された前記凹部１７内に内装される。この挿入により、ホルダ１１０のレンズ窓１１３はデータ写し込み窓１８に対応する位置に配置され、フォトリフレクタ１５１はフィルム給送検知窓１９に対応する位置に配置される。そして、図２及び図３に示したように、ＬＥＤ１４１で発光した光は絞り穴１３２、レンズ体１２１によってレンズ窓１１３及びデータ写し込み窓１８を通してフィルムＦに結像され、フォトリフクレタ１５１の発光素子１５３で発光した光はフィルム給送検知窓１９を通してフィルムＦに投射され、フィルム面で反射された光は再びフィルム給送検知窓１９を逆方向に通して受光素子１５４で受光されるようになる。なお、凹部１７内に装置ユニット１００を内装したときには、ＬＥＤ基板１４０の上端部１４４及びフォトリフレクタ基板１５０の上端部１５６はそれぞれ凹部１７からカメラボディ１の上面に導出された状態となる。
【００１７】
さらに、図７に示したように、前記装置ユニット１００が前記凹部１７内に内装された上から凹部を塞ぐように遮光蓋１７０が取着される。前記遮光蓋１７０は樹脂成形等によって前記凹部１７の開口とほぼ同じ矩形に近い形状の板材として形成されており、その一隅にはカメラボディの角部に当接されるガイド片１７１が、他隅にはガイド穴１７２及びネジ穴１７３がそれぞれ設けられている。そして、遮光蓋１７０を前記開口１７を覆うようにカメラボディ１上に配置したときに、ガイド片１７１がカメラボディ１の角部１ａに当接されるとともにガイド穴１７２がカメラボディ１のボス１ｂに嵌合され遮光蓋１７０の位置決めが行われる。その上でネジ穴１７３を挿通させたネジ１７４をカメラボディ１のネジ穴１ｃに螺合することで遮光蓋１７０はカメラボディ１に一体的に固定される。この固定された状態では、遮光蓋１７０は外光が凹部１７内を通してフィルムＦにまで漏光することを防止するとともに、凹部１７内に内装された装置ユニット１００を押さえ込んで装置ユニット１００の脱落を防止するとともに、凹部１７内における装置ユニット１００の位置決めを行うことになる。また、前記ＬＥＤ基板１４０とフォトリフレクタ基板１５０の各端部１４４，１５６はカメラボディ１と遮光蓋１７０との隙間から導出され、この部分で外部回路との電気接続が行われる。例えば、フォトリフレクタ基板１５０では上端部１５６のランド１５７を利用して外部回路との電気接続が行われる。
【００１８】
ここで前記データ写し込み装置ＤＤとフィルム給送検知装置ＦＤの動作は従来の各装置と同じであるので説明は簡略化するが、データ写し込み装置ＤＤは、ＬＥＤ基板１４０のフレキシブル配線基板１４２を通して外部から送出されてくる日時や絞り、シャッター速度等の各種撮影データのデータ信号に基づいてＬＥＤ１４１の７つの発光素子１４３が選択的に発光される。発光された光は絞り１３０、及びレンズ１２０によってフィルムＦの感光面に結像され、露光される。また、被写体像を露光した後のフィルムＦの巻き上げ時に、当該フィルムＦの巻き上げ速度に同期してＬＥＤ１４１の発光する発光素子を切り替え制御することで、垂直方向に７つのドットを有し、水平方向に所要数のドットを有するドットパターンがデータとしてフィルムＦに露光され、データの写し込みが行われることになる。
【００１９】
また、フィルム給送検知装置ＦＤでは、フォトリフレクタ１５１の発光素子１５３で発光した光はフィルムＦに投射され、フィルム面での反射光が受光素子１５４で受光される。したがって、フィルムＦの給送時に、フィルムＦのパーフォレーションが存在しない箇所ではフィルム面での反射が行われるため受光素子１５４から信号が出力されるが、パーフォレーションが存在する箇所ではフィルム面での反射が行われないため受光素子１５４から信号が出力されることはない。したがって、フィルムＦの給送に伴って受光素子１５４から出力される信号の状態を検出し、これをカウントすることでパーフォレーションの移動数を検出でき、この検出値とパーフォレーションのピッチ寸法とからフィルムＦの移動量を演算することが可能になる。
【００２０】
このように、本実施形態では、データ写し込み装置ＤＤとフィルム給送検知装置ＦＤとをカメラ内の互いに近接した位置に配置しているので、データ写し込み装置ＤＤとフィルム給送検知装置ＦＤとを装置ユニット１００として一体化することが可能になる。そのため、データ写し込み装置ＤＤとフィルム給送検知装置ＦＤをカメラボディ１に取着するための部品となるホルダ１１０を両装置ＤＤ，ＦＤで兼用することができ、部品点数を削減することが可能になる。また、このように両装置ＤＤ，ＦＤを装置ユニット１００としてサブアッセンブリした上で、この装置ユニット１００をカメラボディ１に装着するだけで両装置ＤＤ，ＦＤを同時にカメラボディ１に組み付けることができ、これら装置ＤＤ，ＦＤを個々に組み付ける場合に比較して組み付け工数を削減することが可能になる。さらに、一つのホルダ１００を兼用した装置ユニット１００をカメラボディ１に設けた一つの凹部１７内に内装すればよい構成であるため、各装置ＤＤ，ＦＤに生じるスペースを互いに埋め合うように装置ユニット１００を設計することが可能であり、両装置ＤＤ，ＦＤのトータルのスペースを低減し、カメラの小型化を図ることが可能になる。
【００２１】
ここで、前記実施形態ではカメラボディの上面に凹部を設けて装置ユニットを組み付けた構成例を示しているが、カメラボディの下面に凹部を設けて下側から装置ユニットを組み付けるように構成してもよい。あるいは、スプール室の側面側から装置ユニットを組み付けるようにすることも可能である。さらには、カメラの裏蓋に組み付けることも可能である。
【００２２】
また、装置ユニットの構成は前記実施形態に記載の構成に限定されるものではなく、特にホルダの構成は適宜に設計変更が可能であることは言うまでもない。例えば、ホルダと遮光蓋とを一体化することも可能である。
【００２３】
さらに、本発明におけるデータ写し込み装置を構成するレンズ、絞り、ＬＥＤ基板の構成、あるいはフィルム給送検知装置を構成するフォトリフレクタの構成は前記実施形態の構成に限定されるものではなく、現在知られている他の構成のものを採用することも可能である。
【００２４】
【発明の効果】
以上説明したように本発明は、データ写し込み装置とフィルム給送検知装置とがカメラ内の近接した位置に配設されることで、データ写し込み装置とフィルム給送検知装置とを装置ユニットとして一体化することが可能になる。そのため、データ写し込み装置とフィルム給送検知装置をカメラに配設するための部品を両装置で兼用することができ、部品点数を削減することが可能になる。また、両装置を装置ユニットとしてサブアッセンブリした上で、この装置ユニットをカメラに配設するだけで両装置を同時にカメラに組み付けることができ、組み付け工数を削減することが可能になる。これにより、カメラの低コスト化が可能になる。さらに、装置ユニットをカメラに設けた凹部内に内装する構成であるため、各装置に生じるスペースを互いに埋め合うように装置ユニットを設計することが可能であり、両装置のトータルのスペースを低減し、カメラの小型化を図ることが可能になる。
【図面の簡単な説明】
【図１】本発明のカメラの一実施形態の一部を破断した背面図である。
【図２】図１のＡＡ線に沿う拡大断面図である。
【図３】図１のＢＢ線に沿う拡大断面図である。
【図４】装置ユニットをカメラの背面側から見た部分分解斜視図である。
【図５】装置ユニットをカメラの前面側から見た部分分解斜視図である。
【図６】装置ユニットの組み立て状態の斜視図である。
【図７】装置ユニットをカメラボディに組み付ける状態を示す斜視図である。
【符号の説明】
ＤＤ  データ写し込み装置
ＦＤ  フィルム給送検知装置
Ｐ  パトローネ
Ｆ  フィルム
１  カメラボディ
５  裏蓋
１１  バトローネ室
１２  スプール室
１３  アパーチャ
１４  内レール
１５  外レール
１６  スプール
１７  凹部
１８  データ写し込み窓
１９  フィルム給送検知窓
１００  装置ユニット
１１０  ホルダ
１２０  レンズ
１３０  絞り
１４０  ＬＥＤ基板
１４１  ＬＥＤ
１５０  フォトリフレクタ基板
１５１  フォトリフレクタ
１６０  遮光蓋
【図１】
2004191531.tif 000003
【図２】
2004191531.tif 000004
【図３】
2004191531.tif 000005
【図４】
2004191531.tif 000006
【図５】
2004191531.tif 000007
【図６】
2004191531.tif 000008
【図７】
2004191531.tif 000009